(57)【要約】      （修正有）【課題】補助員を必要とせず泳者自身で正確なカウントが出来るようにした。さらに、固定距離のプールである事および時計機能を付加する事によって距離計測や時間計測が出来き、またラップタイムも同時に計測出来るようにした電気式デジタルカウンターを提供する。【解決手段】泳者自身が単独で距離や時間を計測出来るようにするため、泳者の手や足などに感圧式感知部を装着させ、泳者がプールの壁面でターンする度に感知部を装着した手や足がプール壁面に触れる圧力でターンした事を感知してその信号をカウントする。【選択図】図１
0003133616.tif 000002
【実用新案登録請求の範囲】
【請求項１】
固定の距離を有する水泳プールで泳いだ距離を計測する手段において、泳いでいる本人がプールの壁面に手または足を着く事によりその回数を計測出来るように感圧式感知部を手の平側または足の裏側に装着し、該感知部の感知信号によって駆動するカウンター部を備えたことを特徴とする防水型の電気式デジタルカウンター。
【請求項２】
１項カウンターにおいて、カウンターに連動して時間計測機能を備えた事を特徴とする電気式デジタルカウンター。
【請求項３】
２項カウンターにおいて、予めカウント数を設定することが可能で、設定値のカウント数に達したとき、時間計測を終了する時間計測機能を備えたことおよび振動などにより装着者に終了を知らせる機能を備えたことを特徴とする電気式デジタルカウンター。
【請求項４】
３項カウンターにおいて、感圧式感知部とカウンター部を分離し該感知部には感知信号を無線発信する機能を備え、カウンター部には該無線信号を受信する機能を備えた事を特徴とする電気式デジタルカウンター。
【考案の詳細な説明】
【技術分野】
【０００１】
本発明は、感圧式感知部を備えた電気式デジタルカウンターに関するものである。
【背景技術】
【０００２】
２５ｍや５０ｍの固定距離を有する水泳プールは屋外プールの他に、温水にした屋内プールが数多く建設され競技会としての利用のほかレジャーや健康管理や練習の目的で水泳や水中ウォーキングに盛んに使われている。競技会や練習では距離や時間を計測する時は、泳者とは別に計測する競技役員などの補助者が行なったり、補助者の操作によるスタート指令とプールのコース壁面にタッチ板式の感知機能を設置して泳者の該タッチ板へのタッチによって計測されていた。
【０００３】
このように、当該水泳プールでは泳者の距離や時間を計測するときは本人とは別に補助者が必要であった。しかし、水泳は個人で練習したり楽しむことが出来るスポーツであるが、泳者が単独で距離や時間を正しく計測することが困難であった。
【０００４】
泳者が単独で使用出来る物として、ゴーグルのレンズ部分外側に吸盤式で装着し、スタート時に泳者自身の指で押して稼動させ、泳ぎ終わった時に再び該指で押して計時を止める機能を持つストップウォッチが市販されているが、これは始動、停止を都度指で操作する必要があり、泳者が単独で計測する機能は備えているが、指の操作時間が加算されるため正確な時間計測は出来なく、また、ラップタイムを記録する事は出来なかった。
【０００５】
他に、泳者自身で計測する場合には距離はコースを往復する回数を頭脳で記憶するとか時間はプールの近辺に設置されている大時計を見て概略計測するなどの方法しかなく、特に距離が長くなると記憶が曖昧になり計測には限界があった。
【０００６】
また、この欠点を補い泳者自身がプールで泳いだ距離を正確に計測するためにはプールサイドにメモ用紙を置き往復して来る度に回数をチェックするとか、例えば、確実に数えられる程度の短い距離を１単位として、これを複数回繰り返すなどの工夫もされていたが、該メモ用紙方式も単位距離方式も正確性は確保できるが、途中で止まる事になるなど、どの方法も長い距離を続けて泳ぐ時には活用できなかった。
【特許文献１】特開２００４−２３４０７９号
【特許文献２】特開２００１−３５６１７５号
【特許文献３】特開平６−２７２５９号
【特許文献４】実案出願平４−８３８５１号
【特許文献５】実案出願２００５−４８６６号
【特許文献６】実案出願平１０−１０５５２号
【非特許文献１】グンゼ産業（株）フィットネス・グループ「タイムウインドウ」
【考案の開示】
【考案が解決しようとする課題】
【０００７】
解決しようとする問題点は、泳者自身が単独で距離や時間を正確に計測したいときに限度がある点である。
【課題を解決するための手段】
【０００８】
本発明は、泳者自身が単独で距離や時間を計測出来るようにするため、泳者の手や足などに感圧式感知部を装着させることを最も主要な特徴とする。泳者がプールの壁面でターンする度に感圧式感知部を装着した手や足がプール壁面に触れる圧力でターンした事を感知してその信号をカウントする事により、補助員を必要とせず泳者自身で正確なカウントが出来るようにした。
【考案の効果】
【０００９】
本発明の電気式デジタルカウンターは感圧式感知部を泳者自身が装着しているため、泳者がプールの壁面でターンする度にカウント出来るので、補助員を必要とせず正確なカウントにより距離計測や時間計測が出来き、またラップタイムも同時に計測出来る利点がある。
【考案を実施するための最良の形態】
【００１０】
泳者がプールの壁面でターンする度に回数を入力する目的を、手や足に装着した感圧式感知部とその信号により駆動するカウンターで実現した。さらに、カウント数を活用して固定距離のプールである事から距離に換算して計測計測を可能にし、時計機能を付加する事によって時間計測が出来き、またラップタイムも同時に計測出来るようにした。
【実施例１】
【００１１】
図１は、本発明装置の実施例１の正面図であって、１は着脱式の装着用バンド、２は感圧式感知部、３は感圧式感知部の信号により駆動するカウンター部、４はカウンター内部に設けられ、カウント数を表示する表示部である。５はカウンターをリセットするスイッチ部、６，７は本装置を被測定者に固定するために装着用バンドに互いに表裏に取り付けられたマジックバンド。
【実施例２】
【００１２】
図２は、本発明装置の実施例２の正面図であって、８は本装置の電源スイッチである。
【実施例３】
【００１３】
図３は、本発明装置の実施例３の正面図であって、９は感圧式感知部の信号により駆動する計時機能を付随するカウンター部、１０はカウント数と時間を表示する表示部である。
【実施例４】
【００１４】
図４は、本発明装置の実施例４の正面図であって、１１は予め設定されたカウント数に達した時に計時を停止すると共に一時的に振動などにより被測定者にカウンターの停止を知らせる機能を備えたカウンター部、１２は予め設定されたカウント数と感圧式感知部の信号により駆動したカウント数と時間を表示する表示部、１３は予めカウント数を設定したり、プールの長さを設定する設定ボタンである。
【実施例５】
【００１５】
図５は、本発明装置の実施例５の正面図であって、１４は感知信号を無線送信する機能を有する感圧式感知部、１５は該無線信号を受信して駆動するカウンター部である。
【００１６】
図６は、本発明装置の実施例１または２を、手または足の指に装着した状態を示す斜視図であって、１６は指、１７は爪を示す。
【００１７】
このように泳者の手や足に電気式デジタルカウンターを装着したので、泳者が自分の意思だけでいつでも計測でき、泳者が泳ぎ始める時にプールの壁面に手でタッチしてからスタートすればカウンターが始動し、ターン毎に該壁面に手でタッチすれば、その回数がカウントされ表示部にカウント数が表示されるから泳者はプールで泳いでいる回数を記憶する事なく泳ぎに専念できる。
【００１８】
図２の実施例２は電源スイッチを備えているので、泳者のスタート直前までの誤動作の防止とリセット機能を兼ね備えている。
【００１９】
図３の実施例３はカウンターに計時機能も付随させているのでカウント数と同時に時間も計測でき、計時機能の中にカウント毎に時間を記録させればラップタイムも計測出来る。
【００２０】
図４の実施例４は設定ボタンを備えているので、プールの長さを設定しカウント数を距離に換算して表示したり、設定カウント数で計時を停止し泳者に停止を知らせるので、泳者は設定カウント数で泳ぎを中止することが出来る。
【００２１】
水泳の泳法にはクロール、平泳ぎ、背泳ぎ、バタフライの４泳法が競技規則で定められており平泳ぎ、バタフライの泳法では規則上ターン時は必ず手をプールの壁面に着かなければならないから、本カウンターを手に装着すれば、スタート時に手の感知部に圧力を掛けてスタートすれば途中のラップタイムからゴールまですべて計測出来る。
【００２２】
しかし、クロール、背泳ぎでは競技規則上はターン時に必ずしも手がプールの壁面につく必要はなく、身体の一部が着けば良いが現実にはターン動作では足をプールの壁面に着けて折り返している。この場合には、本カウンターは足に装着すれば水中からスタートする時は、泳ぎ始めに壁面を足で蹴り出せばカウンターは始動し、ターンの時にクロールや背泳ぎで使用されるクイックターン（手をプールの壁面に付けず壁面の手前で身体を反転させて足で壁面にタッチし蹴り出すターン法）では回数は足の蹴り出しでカウントされるので水泳の高度な技術の有する泳者にも有効である。但し、最後の壁面のタッチもクイックターンをして足で壁面にタッチする事が必要である。また、水泳の初心者でクイックターンが出来ない泳者は、手に本カウンターを装着すれば良い。
【００２３】
図５の実施例５は感圧式感知部２個とカウンター部１個を一組とした本発明装置の実施例である。該実施例では一組毎に個別の無線信号を保持させる事は当然の事である。また、２個の感知部は手と足に装着すれば、カウンター部は身体の適当な部位に保持させても本案の効果は同様に得られる。
【００２４】
競技規則上、背泳ぎのゴールタッチは手で行わなければならないが、図５の実施例５ではカウンタ部と分離した感知部を２個有しているので、感知部をそれぞれ手と足に装着すれば、手または足のいずれかのプール壁面へのタッチによってカウンター部が駆動しスタートからゴールまでカバー出来る。
【００２５】
このように、感知部から感知信号を発信する事によって水泳のどの泳法にも適用できると共に、水中でのプール壁面からのスタートだけでなくプール上に設置されたスタート台からのスタートにも適用できる。
【００２６】
本発明装置は、手に装着する場合は手の第３指（中指）指先の手の平側に感知部を位置し、つめ側にカウンター部が位置するように装着し、また、装着が足の場合は足の第１指の裏側に感知部を位置し、つめ側にカウンター部を位置させるように装着することにより、水泳動作での水の抵抗が少なく、水泳の高度な技術の有する泳者には違和感も少なく有効に壁面タッチを感知して効果を発揮できる。
【００２７】
また、本装置の感知部は装着が手の場合は、手の第２指から第５指までの指または手の平の上半部までをカバーするものや、装着が足の場合は足の指全体または足の裏前半分までカバーしても本発明の効果は得られ、特に水泳の技術の低い泳者ではこれにより壁面にタッチしたりターンの時に確実にその作用を感知部を通じてカウンターに伝えられる。
【００２８】
装着方法は、装着実施例を図６に示したように感知部を手の平側か足の裏側にしてカウンター部はその反対側（甲側）に位置するように装着するのは当然の事である。また、実施例５の場合はカウンター部を保持や操作性の観点から適する部位に装着すればよい。
【産業上の利用可能性】
【００２９】
感知部とカウンター部を分離して、感知信号を無線で発信する感知部を２個設ける事によって水泳のどの泳法にも対応できると共に、水中のプール壁面からのスタートだけでなくスタート台からのスタートにも対応できるので、カウンター部を競技役員や補助者に保持させればコーチ付の練習や競技会にも適用でき、更に、タッチ板を必要としない水泳競技用の自動審判計時装置も実現できる。
【００３０】
水中ウォーキングでのプールの壁面へのタッチによる距離計測を容易にするだけでなく、足裏に感知部を装着する事によって、歩数計としての用途にも適用でき、水中だけでなく陸上での歩数計や距離計測にも適用できる。
【図面の簡単な説明】
【００３１】
【図１】電気式デジタルカウンターの実施例を示した正面図である。（実施例１）
【図２】電気式デジタルカウンターの実施例を示した正面図である。（実施例２）
【図３】電気式デジタルカウンターの実施例を示した正面図である。（実施例３）
【図４】電気式デジタルカウンターの実施例を示した正面図である。（実施例４）
【図５】電気式デジタルカウンターの実施例を示した正面図である。（実施例５）
【図６】電気式デジタルカウンターの装着状態を示す斜視図である。
【符号の説明】
【００３２】
１    装着用バンド
２    感圧式感知部
３    カウンター部
４    表示部
５    スイッチ部
６    マジックバンド
７    マジックバンド
８    電源スイッチ
９    計時機能を付随するカウンター部
１０  カウント数と時間を表示する表示部
１１  設定されたカウント数でカウンターを停止するとともに被測定者に、停止情報を発信する機能を備えたカウンター部
１２  設定カウント数と計測カウント数および計測時間を表示する表示部
１３  設定ボタン
１４  感知信号を無線発信する機能を有する感圧式感知部
１５  無線送信された感知信号を受信する機能を有するカウンター部
１６  指
１７  爪
【図１】
0003133616.tif 000003
【図２】
0003133616.tif 000004
【図３】
0003133616.tif 000005
【図４】
0003133616.tif 000006
【図５】
0003133616.tif 000007
【図６】
0003133616.tif 000008